(57)【要約】【課題】暖房装置をはじめとする付加機能ユニット装着時には本体にしっかりと固定し、また付加機能ユニットを装着しない時には本体の横幅を小さくすることを可能とするトイレ装置を提供する。【解決手段】便器１上に取り付けられた本体２と、本体２に回転自在に取り付けられた便蓋３及び便座４と、便蓋３と便座４より外側に位置するように取り付けられた付加機能ユニット５とを具備し、付加機能ユニット５の一端部に設けられたフランジ８は本体２にはめ込まれ、かつ付加機能ユニット５と本体２とがＬ字形状の固定板１０により固定され、付加機能ユニット装着時には本体にしっかりと固定するとともに、付加機能ユニットを装着しない時には本体の横幅を小さくすることを可能にした。【選択図】  図１
2004183274.tif 000002
【特許請求の範囲】
【請求項１】
便器上に取り付けられた本体と、前記本体に回転自在に取り付けられた便蓋及び便座と、前記便蓋と便座より外側に位置するように前記本体に取り付けられた付加機能ユニットとを具備し、前記付加機能ユニットの一端部に設けられたフランジは前記本体にはめ込まれ、かつ前記付加機能ユニットと前記本体とがＬ字形状の固定板により固定されたトイレ装置。
【請求項２】
固定板に補強凸部を一体に形成した請求項１記載のトイレ装置。
【請求項３】
補強凸部を固定板のＬ字角部をまたがるように一体に形成した請求項２記載のトイレ装置。
【請求項４】
付加機能ユニットに対応する固定板の一部を前記付加機能ユニットの凹部に位置させ、外部に露出しないようにした請求項１記載のトイレ装置。
【請求項５】
付加機能ユニットと本体とを電気的に接続する電線を前記付加機能ユニットのフランジに設けられた穴を通して外部に露出することなく導設した請求項１記載のトイレ装置。
【請求項６】
付加機能ユニットのフランジを本体の内部に取り付けた内部部品と本体のケース内面により挟み込んだ請求項１記載のトイレ装置。
【請求項７】
付加機能ユニットのフランジを、本体の内部に設けられたリブと本体のケース内面により挟み込んだ請求項１記載のトイレ装置。
【請求項８】
付加機能ユニットにトイレ室内暖房機能を搭載した請求項１記載のトイレ装置。
【請求項９】
付加機能ユニットに脱臭機能を搭載した請求項１記載のトイレ装置。
【発明の詳細な説明】
【０００１】
【発明の属する技術分野】
本発明はトイレ装置に関するものである。
【０００２】
【従来の技術】
従来のトイレ装置は、図１０に示すような構造であった。すなわち、従来のトイレ装置は、便器３１上に取り付けられた本体３２と、本体３２に回転自在に取り付けられた便蓋３３及び便座３４と、本体３２に取り付けられた暖房器具３５とから構成される。暖房器具３５は本体３２の端部に設けられた操作部３６の下部に一体となるようにはめ合わされている（例えば、特許文献１参照）。
【０００３】
【特許文献１】
特開平９−６００８２号公報（第２−３頁、第３図）
【０００４】
【発明が解決しようとする課題】
然るに、従来の構成では、暖房装置３５を使用しない時に暖房装置３５を取り外していても本体３２から操作部３６が突出しているため本体３２の横幅が大きくなるという問題点を有していた。
【０００５】
本発明は前記問題点に鑑み、暖房装置をはじめとする付加機能ユニット装着時には本体にしっかりと固定し、また付加機能ユニットを装着しない時には本体の横幅を小さくすることを可能とするトイレ装置を提供することを目的とする。
【０００６】
【課題を解決するための手段】
上記課題を解決するために本発明のトイレ装置は、便器上に取り付けられた本体と、本体に回転自在に取り付けられた便蓋及び便座と、便蓋と便座より外側に位置するよう本体に取り付けられた付加機能ユニットとを具備している。
【０００７】
付加機能ユニットに設けられたフランジは本体にはめ込まれ、かつ付加機能ユニットと本体とがＬ字形状の固定板により固定されており、付加機能ユニット装着時には本体にしっかりと固定し、また付加機能ユニットを装着しない時には本体の横幅を小さくすることができる。
【０００８】
【発明の実施の形態】
請求項１に記載の発明は、便器上に取り付けられた本体と、本体に回転自在に取り付けられた便蓋及び便座と、便蓋と便座より外側に位置するよう本体に取り付けられた付加機能ユニットとを具備し、付加機能ユニットに設けられたフランジは本体にはめ込まれ、かつ付加機能ユニットと本体とがＬ字形状の固定板により固定されたものであり、付加機能ユニット装着時には本体にしっかりと固定し、また付加機能ユニットを装着しない時には本体の横幅を小さくすることができる。
【０００９】
請求項２に記載の発明は、固定板に補強凸部を一体に形成したもので、固定板の強度を高めることができる。
【００１０】
請求項３に記載の発明は、補強凸部を固定板のＬ字角部をまたがるように一体に形成したものであり、固定板のＬ字角部の強度を高め付加機能ユニットの外部からの力への耐性を高めることができる。
【００１１】
請求項４に記載の発明は、付加機能ユニットに対応する固定板の一部を付加機能ユニットの凹部に位置させ、外部に露出しないようにしたものであり、付加機能ユニットに対応する固定板の一部を外部に露出しないようにすることができる。
【００１２】
請求項５に記載の発明は、付加機能ユニットと本体とを電気的に接続する電線を付加機能ユニットのフランジに設けられた穴を通して外部に露出することなく導設したものであり、電線を外部に露出しないようにすることができる。
【００１３】
請求項６に記載の発明は、付加機能ユニットのフランジを本体の内部に取り付けた内部部品と本体のケース内面により挟み込んだものであり、ケースとフランジの間に隙間ができないように位置決めすることができる。
【００１４】
請求項７に記載の発明は、付加機能ユニットのフランジを、本体の内部に設けられたリブと本体のケース内面により挟み込んだものであり、ケースとフランジの間に隙間ができないように位置決めすることができる。
【００１５】
請求項８に記載の発明は、付加機能ユニットにトイレ室内暖房機能を搭載したものであり、トイレ室内暖房が必要な場合はトイレ室内暖房機能を付加することができ、不必要な場合は装着せずしかも本体の横幅を小さくすることができる。
【００１６】
請求項９に記載の発明は、付加機能ユニットに脱臭機能を搭載したものであり、脱臭が必要な場合は脱臭機能を付加することができ、不必要な場合は装着せずしかも本体の横幅を小さくすることができる。
【００１７】
【実施例】
（実施例１）
以下、実施例について図面を用いて説明する。図１および図２においてトイレ装置は、便器１上に取り付けられた本体２と、本体２に回転自在に取り付けられた便蓋３及び便座４と、便蓋３と便座４より外側に位置するように本体２に取り付けられた付加機能ユニット５とを有する。
【００１８】
本体２の内部には多くの内部部品がある。また、付加機能ユニット５は、トイレ室内暖房機能や脱臭機能等をはじめとする後付け機能ユニットであり任意に取り付けることができる。
【００１９】
付加機能ユニット５の一端部に設けられたフランジ８は本体２のケース７の端部と裏板９の端部にある穴１２にはめ込まれ、かつ付加機能ユニット５の便座４側の側面と本体２の裏板９とをビス１１によりＬ字形状の固定板１０で固定している。
【００２０】
以上のように構成されたトイレ装置の動作を説明する。付加機能ユニット５を装着する時には付加機能ユニット５に設けられたフランジ８を穴１２にはめ込むことにより位置決めを行い、付加機能ユニット５の側面と本体２の裏板９とをビス１１によりＬ字形状の固定板１０で固定する。
【００２１】
また、付加機能ユニット５を装着しない時にはビス１１を外してＬ字形状の固定板１０による固定を外す。その後、付加機能ユニット５に設けられたフランジ８を穴１２から取り外すことで付加機能ユニット５を本体２より取り外すことができる。
【００２２】
以上のように本実施例によれば、付加機能ユニット５を装着する時には付加機能ユニット５をしっかりと本体２に固定することができ、付加機能ユニット５を安全に使用することができるとともに付加機能ユニット５を装着しない時には付加機能ユニット５を本体２から取り外すことができ、トイレ装置の横幅を小さくすることができる。
【００２３】
また、使用者は付加機能ユニット５を取り付けるかどうかを選択することができ、仮に最初に取り付けなかったとしても必要となった時に付加機能ユニット５を手に入れることで簡単に取り付けて使用することができる。また、不要となった時には付加機能ユニットを取り外すこともできるため好ましい。また、使用者はその時に応じた付加機能を選択し取り付けることができるため便利である。
【００２４】
（実施例２）
図３は、本発明のトイレ装置の固定板に形成した補強凸部の構造について示している。実施例１と同一部材については同一符号として説明を省く。図において１３は金属からなる固定板１０に形成された補強凸部である。
【００２５】
補強凸部１３はＬ字形状の固定板１０と本体２の裏板９および付加機能ユニット５の側面とを固定するビス１１の近傍に設けられている。
【００２６】
以上のように本実施例によれば、固定板１０に補強凸部１３を設けたことにより固定板１０の強度を高めることができるため本体と付加機能ユニット５の位置ずれを防ぐことができる。
【００２７】
また、補強凸部１３は一面に一つ設けても複数設けても同様の効果が得られる。
【００２８】
なお、本実施例において固定板１０を金属で形成したが、樹脂で形成しても同様の効果が得られる。
【００２９】
（実施例３）
図４は本発明のトイレ装置の固定板に形成した補強凸部の構造について示している。実施例と同一部材については同一符号として説明を省く。図において補強凸部１３は固定板１０のＬ字角部１４をまたいで二面にわたってＬ字状に形成されている。
【００３０】
以上のように本実施例によれば、固定板１０のＬ字角部１４に補強凸部１３を設けたことにより固定板１０のＬ字角部１４の強度を高めることができるため付加機能ユニット５の外部からの力への耐性が高まり破損などを防ぐことができる。
【００３１】
（実施例４）
図５は本発明のトイレ装置の付加機能ユニットについて示している。実施例と同一部材については同一符号として説明を省く。図において付加機能ユニット５の側面には凹部１５が設けられており、固定板１０の付加機能ユニット５に対応する部分とビス１１とは凹部１５に位置している。
【００３２】
以上のように本実施例によれば、固定板１０の付加機能ユニット５に対応する部分とビス１１を付加機能ユニット５の側面の凹部１５に位置させたことにより使用者からは死角となるためデザイン性を向上させることができる。
【００３３】
また、固定板１０の付加機能ユニット５に対応する部分とビス１１とを凹部１５に収めたことで出っ張りが少なくなり付加機能ユニット５と本体２との間に隙間ができるのを防ぐことができ好ましい。
【００３４】
（実施例５）
図６は本発明のトイレ装置の付加機能ユニットと本体とを接続する電線について示している。実施例と同一部材については同一符号として説明を省く。１６は付加機能ユニット５と本体２とを電気的に接続する電線であり、付加機能ユニット５のフランジ８に設けられた穴１７を通して外部に露出することなく導設している。
【００３５】
以上のように本実施例によれば、電線１６を外部に露出しないように接続したことによりトイレ装置の施工時や手入れ時に誤って断線する恐れがなくなり、感電や故障を防ぐことができる。
【００３６】
（実施例６）
図７及び図８は本発明のトイレ装置の本体と付加機能ユニットの固定部分について示している。実施例と同一部材については同一符号として説明を省く。図７において付加機能ユニット５のフランジ８は内部部品１８およびケース７の側面２０により挟み込まれている。また、図８において付加機能ユニット５のフランジ８は本体２の裏板９に設けられたリブ２１とケース７の側面２０により挟み込まれている。
【００３７】
以上のように本実施例によれば、ケース７とフランジ８とを位置決めし仮固定することができるためＬ字形状の固定板１０をビス１１により固定する前に付加機能ユニット５が位置ずれしたり外れたりするのを防ぐことができる。
【００３８】
なお、付加機能ユニットのフランジ８をケース７の内部の側面２０に設けられたリブ１９とケース７の側面２０により挟み込むようにしても同様の効果が得られる。
【００３９】
（実施例７）
図９は本発明のトイレ装置の付加機能ユニットについて示している。付加機能ユニット５にはトイレ室内暖房機能２２または脱臭機能（図示せず）のいずれかを搭載している。
【００４０】
以上のように本実施例によれば、トイレ室内暖房機能２２または脱臭機能が故障の際には、付加機能ユニット５のみを取り外し修理することができるため他の洗浄機能等、基本的な機能は使用することができ便利である。
【００４１】
【発明の効果】
本発明は以上説明したように、便器上に取り付けられた本体と、本体に回転自在に取り付けられた便蓋及び便座と、便蓋と便座より外側に位置するよう本体に取り付けられた付加機能ユニットとを具備し、付加機能ユニットに設けられたフランジは本体にはめ込まれ付加機能ユニットの背面と本体の裏板とがＬ字形状の固定板により固定されていることを特徴とし、付加機能ユニットを使用する時には付加機能ユニットをしっかりと本体に固定することができ、付加機能ユニットを安全に使用することができるとともに付加機能ユニットを使用しない時には付加機能ユニットを本体から取り外すことができるためトイレ装置の横幅を小さくすることができる。
【図面の簡単な説明】
【図１】本発明の実施例１におけるトイレ装置の要部断面図
【図２】本発明の実施例１におけるトイレ装置の全体斜視図
【図３】本発明の実施例２におけるトイレ装置の要部断面構造図
【図４】本発明の実施例３におけるトイレ装置の要部断面構造図
【図５】本発明の実施例４におけるトイレ装置の要部断面図
【図６】本発明の実施例５におけるトイレ装置の要部断面構造図
【図７】本発明の実施例６におけるトイレ装置の要部断面構造図
【図８】本発明の実施例６におけるトイレ装置の要部断面構造図
【図９】本発明の実施例７におけるトイレ装置の全体斜視図
【図１０】従来のトイレ装置の全体斜視図
【符号の説明】
１  便器
２  本体
３  便蓋
４  便座
５  付加機能ユニット
７  ケース
８  フランジ
９  裏板
１０  固定板
１２  穴
１３  補強凸部
１４  Ｌ字角部
１５  凹部
１６  電線
１８  内部部品
２０  側面
２２  トイレ室内暖房機能
【図１】
2004183274.tif 000003
【図２】
2004183274.tif 000004
【図３】
2004183274.tif 000005
【図４】
2004183274.tif 000006
【図５】
2004183274.tif 000007
【図６】
2004183274.tif 000008
【図７】
2004183274.tif 000009
【図８】
2004183274.tif 000010
【図９】
2004183274.tif 000011
【図１０】
2004183274.tif 000012